(57)【要約】  本出願はアプリケーションにおける画像を処理する方法、装置、機器端末及び記憶媒体を開示している。アプリケーションにおける画像を処理する方法であって、機器端末によって実行され、前記方法は、アプリケーションに表示される画像に対応する絵文字ファイルの生成命令を受信する（Ｓ３１０）ことと、画像がトリガーされ、絵文字ファイルを生成する命令に応じて、アプリケーションに埋め込まれた絵文字編集ツールを呼び出す（Ｓ３３０）ことと、絵文字編集ツール及び画像に対してトリガーする絵文字編集操作によって、画像に対応する自作絵文字画像を取得する（Ｓ３５０）ことと、自作絵文字画像を、相応的にアプリケーションに配置される自作絵文字ファイルとして生成し、自作絵文字ファイルがアプリケーションによって呼び出され、アプリケーション自身に配置され、絵文字作成機能と異なる指定機能を実現する  （Ｓ３７０）こと、とを含む。
2020533677.tif 000002
【特許請求の範囲】
【請求項１】
端末装置が実行する、アプリケーションにおける画像の処理方法であって、
前記端末装置が、
前記端末装置が実行するアプリケーションに表示される画像に対応するエモティコンファイル生成命令を受信すること、
前記画像がトリガーされることによる、エモティコンファイルを生成する命令に基づいて、前記アプリケーションに埋め込まれたエモティコン編集ツールを呼び出すこと、
前記エモティコン編集ツールと、前記画像をトリガーするエモティコン編集操作とにより、前記画像に対応する自作エモティコン画像を取得すること、及び
前記自作エモティコン画像に対応し、かつ前記アプリケーションに構成される自作エモティコンファイルを生成することであって、前記自作エモティコンファイルが前記アプリケーションに呼び出されることで前記アプリケーションが自ら構成した特定機能を実現し、前記特定機能がエモティコン作成機能とは異なることを含む、方法。
【請求項２】
前記アプリケーションはソーシャルアプリケーションであり、前記画像は前記ソーシャルアプリケーションのトークで受信又は送信される画像であり、
前記アプリケーションに表示される画像に対応するエモティコンファイル生成指令を受信することは、
前記ソーシャルアプリケーションのトークインターフェースにおいて、受信及び／又は送信される画像の表示が行われるときに、前記ソーシャルアプリケーションに表示される画像に対応するエモティコンファイル生成指令を受信することであって、前記エモティコンファイル生成指令によって、表示される画像のために生成される自作エモティコンファイルが、前記ソーシャルアプリケーションに呼び出され、トークでエモティコン画像を渡す機能を実現するために用いられることを含む、請求項１に記載の方法。
【請求項３】
前記アプリケーション又はソーシャルアプリケーションに表示される画像に対応するエモティコンファイル生成指令を受信することは、
前記アプリケーション又はソーシャルアプリケーションにおいて、表示される画像の関連操作項目をアクティブにし、前記関連操作項目におけるエモティコン作成操作項目の選択をトリガーすることで、表示される前記画像に対応するエモティコンファイル生成指令を取得することを含む、請求項１又は２に記載の方法。
【請求項４】
前記エモティコン編集ツールと、前記画像をトリガーするエモティコン編集操作とにより、前記画像に対応する自作エモティコン画像を取得することは、
前記エモティコン編集ツールによって、表示される画像に対応するエモティコン編集状態にジャンプすること、及び
エモティコン編集状態にある前記画像をトリガーするエモティコン編集操作を受信し、前記エモティコン編集ツールによって、エモティコン編集状態にある前記画像に対して、前記エモティコン編集操作に対応する画像処理を行い、前記画像に対応する自作エモティコン画像を取得することを含む、請求項１に記載の方法。
【請求項５】
前記自作エモティコン画像に対応し、かつ前記アプリケーションに構成される自作エモティコンファイルを生成することは、
前記自作エモティコン画像に対応する自作エモティコンファイルを生成すること、及び
前記アプリケーションにログインするユーザＩＤを取得し、前記ユーザＩＤをインデックスとして前記自作エモティコンファイルをアプリケーションサーバ及び／又は前記端末装置に記憶することを含む、請求項１に記載の方法。
【請求項６】
前記自作エモティコン画像に対応し、かつ前記アプリケーションに構成される自作エモティコンファイルを生成した後に、前記方法は、さらに、
前記端末装置が、前記自作エモティコンファイルに対して前記アプリケーションのエモティコンパネルにおいてサムネイル表示を行うことを含む、請求項１に記載の方法。
【請求項７】
前記自作エモティコンファイルのサムネイルが前記エモティコンファイルと関連付けられ、前記自作エモティコンファイルに対して前記アプリケーションのエモティコンパネルにおいてサムネイル表示を行った後に、前記方法は、さらに、
前記端末装置が、
前記エモティコンパネルにおいて前記自作エモティコンファイルのサムネイルをトリガーする選択操作により、前記アプリケーションにログインするユーザＩＤと前記サムネイルとを用いて前記端末装置又はアプリケーションサーバで検索したエモティコンファイルを選択して呼び出すこと、及び
前記アプリケーションにおいて前記自作エモティコンファイルの伝送を行うことを含む、請求項６に記載の方法。
【請求項８】
端末装置に構成される、アプリケーションにおける画像の処理装置であって、
アプリケーションに表示される画像に対応するエモティコンファイル生成指令を受信するように構成される指令受信ユニットと、
前記画像がトリガーされることによる、エモティコンファイルを生成する命令に基づいて、前記アプリケーションに埋め込まれたエモティコン編集ツールを呼び出すように構成されるエモティコン編集呼び出しユニットと、
前記エモティコン編集ツールと、前記画像をトリガーするエモティコン編集操作とにより、前記画像に対応する自作エモティコン画像を取得するように構成される自作エモティコン取得ユニットと、
前記自作エモティコン画像に対応し、かつ前記アプリケーションに構成される自作エモティコンファイルを生成するように構成される設定ユニットであって、前記自作エモティコンファイルが前記アプリケーションに呼び出されることで前記アプリケーションが自ら構成した特定機能を実現する設定ユニットと、を含む、装置。
【請求項９】
前記アプリケーションはソーシャルアプリケーションであり、前記画像はソーシャルアプリケーションにおけるトークで受信又は送信される画像であり、
前記指令受信ユニットは、さらに、前記ソーシャルアプリケーションのトークインターフェースにおいて、受信及び／又は送信される画像の表示が行われるときに、前記ソーシャルアプリケーションに表示される画像に対応するエモティコンファイル生成指令を受信するように構成され、
前記エモティコンファイル生成指令によって、表示される画像のために生成される自作エモティコンファイルが、前記ソーシャルアプリケーションに呼び出され、トークでエモティコン画像を渡す機能を実現するために用いられる、請求項８に記載の装置。
【請求項１０】
前記指令受信ユニットは、さらに、前記アプリケーション又はソーシャルアプリケーションにおいて、表示される画像の関連操作項目をアクティブにし、前記関連操作項目におけるエモティコン作成操作項目の選択をトリガーすることで、表示される前記画像に対応するエモティコンファイル生成指令を取得するように構成される、請求項８又は９に記載の装置。
【請求項１１】
前記自作エモティコン取得ユニットは、
前記エモティコン編集ツールによって、表示される画像に対応するエモティコン編集状態にジャンプするように構成される状態ジャンプユニットと、  
エモティコン編集状態にある前記画像をトリガーするエモティコン編集操作を受信し、前記エモティコン編集ツールによって、エモティコン編集状態にある前記画像に対して、前記エモティコン編集操作に対応する画像処理を行い、前記画像に対応する自作エモティコン画像を取得するように構成される画像処理実行ユニットと、を含む、請求項８に記載の装置。
【請求項１２】
前記設定ユニットは、
前記自作エモティコン画像に対応する自作エモティコンファイルを生成するように構成されるエモティコンファイル生成ユニットと、
前記アプリケーションにログインするユーザＩＤを取得し、前記ユーザＩＤをインデックスとして前記自作エモティコンファイルをアプリケーションサーバ及び／又は前記端末装置に記憶するように構成されるインデックス記憶ユニットと、を含む、請求項８に記載の装置。
【請求項１３】
前記自作エモティコンファイルに対して前記アプリケーションのエモティコンパネルにおいてサムネイル表示を行うように構成されるパネル表示制御ユニットをさらに含む、請求項８に記載の装置。
【請求項１４】
前記エモティコンパネルにおいて前記自作エモティコンファイルのサムネイルをトリガーする選択操作により、前記アプリケーションにログインするユーザＩＤと前記サムネイルとを用いて前記端末装置又はアプリケーションサーバで検索したエモティコンファイルを選択して呼び出すように構成されるエモティコンファイル呼び出しユニットと、
前記アプリケーションにおいて前記自作エモティコンファイルの伝送を行うように構成される伝送ユニットと、をさらに含む、請求項１３に記載の装置。
【請求項１５】
端末装置であって、
プロセッサと、
コンピュータ読み取り可能な命令を記憶したメモリと、を含み、
前記コンピュータ読み取り可能な命令は、前記プロセッサにより実行されるときに、請求項１〜７のうちのいずれか１項に記載のアプリケーションにおける画像の処理方法を実現する、端末装置。
【請求項１６】
コンピュータに、請求項1〜７のうちのいずれか１項に記載のアプリケーションにおける画像の処理方法を実行させるためのプログラムを記憶したコンピュータ読み取り可能な記憶媒体。
【発明の詳細な説明】
【技術分野】
【０００１】
本開示は、コンピュータ応用技術分野に関わり、特にアプリケーションにおける画像を処理する方法、装置、機器端末及び記憶媒体に関わる。  本出願は、出願日が２０１７年０７月０７日であり、出願番号が２０１７１０８１１３８９１であり、発明の名称が「アプリケーションにおける画像を処理する方法、装置、機器端末及び記憶媒体」である発明特許出願の優先権を主張する。
【背景技術】
【０００２】
絵文字画像は、インターネット生活で非常に重要な地位にあり、文字と違って、いろんなシーンでの情報の伝達を実現する。例えば、コミュニケーションアプリにおいて、絵文字画像を主要な内容として伝達される情報であり、インターネットアプリケーションにおいて、絵文字画像を内容の構成部分として発表される情報などである。
【発明の概要】
【発明が解決しようとする課題】
【０００３】
絵文字画像は、絵文字ファイルという形態で存在し、絵文字ファイルの表示内容は絵文字画像である。絵文字ファイルは、ある絵文字パッケージを介してアプリケーションを作成し、画像編集を行って、絵文字画像を取得し保存することで取得される。該絵文字ファイルを取得した後、ユーザはアプリケーションをスキップし、該絵文字ファイルに対応する絵文字画像の伝達を行うしかない。例えば、作成された絵文字画像を保存し、絵文字ファイルを取得した後、コミュニケーションアプリまたはインターネットアプリケーションなどの、絵文字画像を必要とするアプリケーションにスキップしてから、絵文字パッケージを添加する操作過程によって、絵文字ファイルに対応する絵文字画像が送信される。
【０００４】
絵文字パッケージに対応して、アプリケーションにより編集される画像を作成することは、絵文字画像を必要とするアプリケーションから取得されるから、該画像をアプリケーションから導出し、さらに絵文字パッケージの作成アプリケーションにロードしなければならない。
【０００５】
全体のフローが煩雑で、且つ余分に特定の絵文字パッケージの作成アプリケーションを利用しなければならないから、絵文字画像を必要とするアプリケーションにとって、多い煩雑な操作があり、即時且つ迅速に相応的な絵文字ファイルの配置を実現することができない。
【０００６】
本開示は、アプリケーションにおける画像を処理する方法、装置、機器端末及び記憶媒体を提供する。
【課題を解決するための手段】
【０００７】
アプリケーションにおける画像を処理する方法であって、前記方法は機器端末によって実行され、前記方法は、
機器端末により実行されるアプリケーションに表示される画像に対応する絵文字ファイルの生成命令を受信することと、
前記画像がトリガーされ、絵文字ファイルを生成する命令に応じて、前記アプリケーションに埋め込まれた絵文字編集ツールを呼び出すことと、
前記絵文字編集ツール及び前記画像に対してトリガーする絵文字編集操作によって、前記画像に対応する自作絵文字画像を取得することと、
前記自作絵文字画像を、相応的に前記アプリケーションに配置される自作絵文字ファイルとして生成し、前記自作絵文字ファイルが前記アプリケーションによって呼び出されることでアプリケーション自身に配置され、前記絵文字作成機能と異なる指定機能を実現することとを含む。
【０００８】
アプリケーションにおける画像を処理する装置であって、前記装置は機器端末に配置され、前記装置は、
アプリケーションに表示される画像に対応する絵文字ファイルの生成命令を受信するように配置される命令受信器と、
前記画像がトリガーされ、絵文字ファイルを生成する命令に応じて、前記アプリケーションに埋め込まれた絵文字編集ツールを呼び出すように配置される絵文字編集呼び出し器と、
前記絵文字編集ツール及び前記画像に対してトリガーする絵文字編集操作によって、前記画像に対応する自作絵文字画像を取得するように配置される自作絵文字取得器と、
前記自作絵文字画像を、相応的に前記アプリケーションに配置される自作絵文字ファイルとして生成し、前記自作絵文字ファイルが前記アプリケーションによって呼び出されることでアプリケーション自身に配置され、絵文字作成機能と異なる指定機能を実現するように配置される設定器と、を備える。
【０００９】
機器端末であって、
プロセッサと、
前記プロセッサに実行される場合に、前記アプリケーションにおける画像を処理する方法を実現するコンピュータ読み取り可能な命令が記憶されるメモリとを備える。
【００１０】
プロセッサに実行される場合に、前記アプリケーションにおける画像を処理する方法を実現するコンピュータプログラムが記憶される、コンピュータ読み取り可能な記憶媒体である。
【００１１】
なお、以上の一般的な記載と以下の細部に対する記載は本開示を限定するためのものではなく、ただ例示性のものである。
【図面の簡単な説明】
【００１２】
本出願の実施例における技術案をより明らかに説明するために、以下は実施例の記載にとって必要な図面を簡単に紹介し、明らかに、以下の記載における図面は本開示のいくつかの実施例のみであり、当業者にとって、進歩性に値する労働をしないことを前提として、これらの図面に応じて他の図面を取得することができる。
【図１】一例示性の実施例により示した実施環境の模式図である。
【図２】一例示性の実施例により示した装置のブロック図である。
【図３】一例示性の実施例により示したアプリケーションにおける画像を処理する方法のフロー図である。
【図４】図３に対応する実施例により示したステップＳ３５０の細部を記載するフロー図である。
【図５】図３に対応する実施例により示したステップＳ３７０の細部を記載するフロー図である。
【図６】他の例示性の実施例により示したアプリケーションにおける画像を処理する方法のフロー図である。
【図７】一例示性の実施例により示したインスタントメッセンジャーにおける、ユーザと友人との間の会話ウィンドウのインタフェースの模式図である。
【図８】図７に対応する実施例により示した操作項目を呼び出す会話ウィンドウのインタフェースの模式図である。
【図９】図８に対応する実施例により示した画像を切り抜く絵文字編集インタフェースの模式図である。
【図１０】図９に対応する実施例により示した切り抜きが完成した画像において、文字入力をトリガーするインタフェースの模式図である。
【図１１】図１０に対応する実施例により示した文字入力が完成したインタフェースの模式図である。
【図１２】図１１に対応する実施例により示した入力された文字のレンダリングが完成したインタフェースの模式図である。
【図１３】図１２に対応する実施例により示した自作絵文字画像を送信する会話ウィンドウの模式図である。
【図１４】図１３に対応する実施例により示した自作絵文字ファイルを会話ウィンドウで縮小表示する模式図である。
【図１５】一例示性の実施例により示したインスタントメッセンジャーで自作絵文字画像の実現フローの模式図である。
【図１６】一例示性の実施例により示したアプリケーションにおける画像を処理する装置のブロック図である。
【図１７】図１６に対応する実施例により示した自作絵文字の取得器の細部を記載するブロック図である。
【図１８】図１６に対応する実施例により示した設定器の細部を記載するブロック図である。
【図１９】他の例示性の実施例により示したアプリケーションにおける画像を処理する装置のブロック図である。
【発明を実施するための形態】
【００１３】
ここで、例示性の実施例の実行を詳しく説明し、その例示を図面に示す。以下の記載は図面に関わる場合に、特別の表示がない限り、異なる図面における同じ数字は、同様または類似の要素を示す。以下の例示性の実施例に記載の実施形態は、本開示と一致する全ての実施形態を代表していない。逆に、これらは添付の請求項で詳述された、本開示のいくつかの面と一致する装置及び方法の例に過ぎない。
【００１４】
一例示性の実施例において、本開示に係る実施環境は図１に示すように、少なくともユーザが使用する機器端末１１０及び該機器端末１１０におけるアプリケーションと協力するアプリケーションサーバ１３０を含む。
【００１５】
機器端末１１０は、デスクトップパソコン、ラップトップパソコン、スマートフォン及びタブレットなどであってもよい。機器端末１１０が実行するアプリケーションは相応的なアプリケーションサーバと協力して、配置の指定機能を実現する。この指定機能を実現する前に、該アプリケーションで表示される画像の絵文字ファイルの作成過程を行って、さらにアプリケーションに、ユーザの自作の絵文字ファイルを配置する。
【００１６】
図２は、一例示性の実施例により示した装置のブロック図である。例えば、装置２００は、図２に示される実施環境における機器端末であってもよい。
【００１７】
図２を参照し、装置２００は、処理ユニット２０２、メモリ２０４、電源ユニット２０６、マルチメディアユニット２０８、オーディオユニット２１０、センサユニット２１４及び通信ユニット２１６のうちの一つまたは複数のユニットを含んでもよい。
【００１８】
一般的には、処理ユニット２０２は、例えば、表示、電話の発呼、データ通信、カメラ操作及び記録操作に関連する操作などの、装置２００の全体操作を制御する。処理ユニット２０２は、一つまたは複数のプロセッサ２１８を含んで命令を実行することで、以下の方法の全てまたは一部のステップを完成してもよい。また、処理ユニット２０２は、一つまたは複数のモジュールを含むことで、処理ユニット２０２と他のユニットとの間の対話を便利にすることができる。例えば、処理ユニット２０２は、マルチメディアモジュールを含むことで、マルチメディアユニット２０８と処理ユニット２０２との間の対話を便利にすることができる。
【００１９】
メモリ２０４は、いろんなタイプのデータを記憶することで、装置２００における操作を支持するように配置される。これらのデータの例示は、装置２００で操作されるように配置されるいかなるアプリケーションプログラムまたは方法の命令を含む。メモリ２０４はいかなるタイプの揮発性または不揮発性の記憶機器或いはこれらの組み合わせによって実現でき、例えば、静的ランダムアクセスメモリ（Ｓｔａｔｉｃ  Ｒａｎｄｏｍ  Ａｃｃｅｓｓ  Ｍｅｍｏｒｙ、ＳＲＡＭと略称される）、電気的に消去可能でプログラム可能な読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｅｙ  Ｍｅｍｏｒｙ、ＥＥＰＲＯＭと略称される）、消去可能でプログラム可能な読み取り専用メモリ（Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭと略称される）、プログラム可能な読み取り専用メモリ（Ｐｒｏｇｒａｍｍａｂｌｅ  Ｒｅａｄ−Ｏｎｌｙ  Ｍｅｍｏｒｙ、ＰＲＯＭと略称される）、読み取り専用メモリ（Ｒｅａｄ−Ｏｎｌｙ  Ｍｅｍｏｒｙ、ＲＯＭと略称される）、磁気メモリ、フラッシュメモリ、磁気ディスクまたは光ディスクである。メモリ２０４にはさらに一つまたは複数のモジュールが記憶され、該一つまたは複数のモジュールは、一つまたは複数のプロセッサ２１８によって実行されることで、以下の図３、図４、図５及び図６のいずれかに示した方法における全てまたは部分ステップを完成するように配置される。
【００２０】
電源ユニット２０６は、装置２００のいろんなユニットに電力を提供する。電源ユニット２０６は、電源管理システムと、一つまたは複数の電源と、装置２００の生成、管理及び電力配分に関連する他のユニットとを含んでもよい。
【００２１】
マルチメディアユニット２０８は、前記装置２００とユーザとの間に一つの出力インターフェースを提供するスクリーンを含む。いくつかの実施例において、スクリーンは液晶ディスプレイ（Ｌｉｑｕｉｄ  Ｃｒｙｓｔａｌ  Ｄｉｓｐｌａｙ、ＬＣＤと略称される）とタッチパネルとを含んでもよい。スクリーンがタッチパネルを含むと、スクリーンは、タッチスクリーンとして実現でき、ユーザからの入力信号を受信する。タッチパネルは、タッチ、スライド及びタッチパネルにおけるジェスチャーを検知するための一つまたは複数のタッチセンサを含む。前記タッチセンサはタッチまたはスライド動作の境界を検知するだけではなく、さらに前記タッチまたはスライド操作に関する持続時間と圧力を検出する。スクリーンにはさらに有機エレクトロルミネセンスディスプレイ（Ｏｒｇａｎｉｃ  Ｌｉｇｈｔ  Ｅｍｉｔｔｉｎｇ  Ｄｉｓｐｌａｙ、ＯＬＥＤと略称される）が含まれてもよい。
【００２２】
オーディオユニット２１０は、オーディオ信号を出力及び/または入力するように配置される。例えば、オーディオユニット２１０は一つのマイクロフォン（Ｍｉｃｒｏｐｈｏｎｅ、ＭＩＣと略称される）を含み、装置２００が操作モード、例えば発呼モード、記録モード及び音声認識モードにある場合に、マイクロフォンは外部のオーディオ信号を受信するように配置される。受信されたオーディオ信号はさらにメモリ２０４に記憶されるか、または通信ユニット２１６を介して送信される。いくつかの実施例において、オーディオユニット２１０はさらに、オーディオ信号を出力するための一つのスピーカを含む。
【００２３】
センサユニット２１４は、装置２００に各々の状態評価を提供するための一つまたは複数のセンサを含む。例えば、センサユニット２１４は装置２００のオン/オフ状態、ユニットの相対的な位置決めを検出でき、さらに、装置２００または装置２００の一つのユニットの位置の変更及び装置２００の温度変化を検出できる。いくつかの実施例において、該センサユニット２１４はさらに磁気センサ、圧力センサまたは温度センサを含んでもよい。
【００２４】
通信ユニット２１６は、装置２００と他の機器との間の有線または無線方式の通信を便利にするように配置される。装置２００は通信規格による無線ネットワーク、例えばＷｉＦｉ（Ｗｉｒｅｌｅｓｓ−Ｆｉｄｅｌｉｔｙ、ワイヤレス  フィデリティ）にアクセルされてもよい。一例示性の実施例において、通信ユニット２１６はブロードキャストチャネルを介して、外部のブロードキャスト管理システムからのブロードキャスト信号またはブロードキャストに関する情報を受信する。一例示性の実施例において、前記通信ユニット２１６はさらに近距離通信（Ｎｅａｒ  Ｆｉｅｌｄ  Ｃｏｍｍｕｎｉｃａｔｉｏｎ、ＮＦＣと略称される）モジュールを含むことで、短距離通信を促進させる。例えば、ＮＦＣモジュールで、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、超広帯域（Ｕｌｔｒａ  Ｗｉｄｅｂａｎｄ、ＵＷＢと略称される）技術、ブルートゥース技術及び他の技術に基づき実現されてもよい。
【００２５】
例示性の実施例において、装置２００は、一つまたは複数のアプリケーション特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称される）、デジタル信号プロセッサ、デジタル信号処理機器、プログラマブルロジックデバイス、フィールドプログラマブルゲートアレイ、コントローラ、マイクロコントローラ、マイクプロセッサまたは他の電子部品によって実現され、以下の方法を実行する。
【００２６】
図３は、一例示性の実施例により示したアプリケーションにおける画像を処理する方法のフロー図である。該アプリケーションにおける画像を処理する方法は、前記実施環境の機器端末に適用され、該機器端末は一例示性の実施例において、図２に示される装置であってもよい。図３に示すように、該アプリケーションにおける画像を処理する方法は機器端末によって実行されてもよく、以下のステップを含んでもよい。
【００２７】
ステップＳ３１０において、アプリケーションに表示される画像に対応する絵文字ファイルの生成命令を受信する。
【００２８】
アプリケーションに表示される画像とは、アプリケーションのインタフェースに表示される任意の画像を指す。該画像はいろんな動的画像と静的画像を含む。なお、アプリケーションは、画像を表示し、且つ絵文字ファイルを利用して指定機能を実現するいずれかのアプリケーションプログラムである。該アプリケーションは、コミュニケーションアプリ及びインターネット情報展示を行ういろんなネットワークアプリケーションなどである。例えば、該アプリケーションはインスタントメッセンジャー、ウェイボーなどであってもよい。インスタントメッセンジャーにとって、その指定機能が会話機能であり、ウェイボーの命令機能が、絵文字画像が含まれるメッセージの発表であってもよい。
【００２９】
アプリケーションに表示される画像に対応する絵文字ファイルの生成命令は、アプリケーションのインタフェースに表示される画像をトリガーすることで生成される。アプリケーションに表示されるアプリケーションのインタフェースにおいて、画像の表示を行って、この場合、該画像に対して、絵文字ファイルの生成命令をトリガーすることができる。
【００３０】
具体的には、アプリケーションのインタフェースで、画像表示の進行に連れて、表示の画像をトリガーする。例えば、一例示性の実施例の具体的な実現において、ユーザにとって、ユーザは該画像に対してクリックまたは長押しなどの操作をトリガーすると、該画像に関連する操作項目を起動させ、関連する操作項目には絵文字の作成操作項目及び他の操作項目が含まれ、ユーザは絵文字の作成操作項目を選択すると、表示画像がトリガーされ、絵文字ファイルを生成する命令を生成し、それに対応するように、アプリケーション自体にとって、画像表示を行う過程で、クリックまたは長押し操作をトリガーしたかどうかをモニタリングし、アプリケーションのインタフェースでクリックまたは長押し操作をトリガーし、且つトリガーされたクリックまたは長押し操作が、表示の画像に位置決めされると、インターフェース関数を呼び出すことで、表示の画像でトリガーされたクリックまたは長押し操作に応答し、絵文字ファイルの生成命令を生成し、本開示の実現にとって、この際、インターフェース関数から導入される絵文字ファイルの生成命令を受信する。
【００３１】
他の例示性の実施例において、アプリケーションに表示される画像は動的画像であってもよいから、ユーザにとって、絵文字画像を自作する必要があるという需求に基づき、アプリケーションにおいて、表示の動的画像の切り取りを行うことで、そのうちの１フレームの画像を取得し、該フレーム画像に対して絵文字ファイルの生成命令を生成する。
【００３２】
なお、アプリケーションに表示される画像について、その数は一つまたは二つ以上であり、それに対応するように、対応する絵文字ファイルの生成命令を受信し、自己絵文字画像を取得するという過程が作用する対象は、表示の画像における一つの画像であってもよく、または二つ以上の画像に対してバッチの絵文字作成を実現してもよく、ここで限定しない。
【００３３】
一例示性の実施例において、アプリケーションはコミュニケーションアプリであり、画像はコミュニケーションアプリの会話で受信または送信される画像であると、ステップＳ３１０は具体的には以下を含み、即ち、
コミュニケーションアプリの会話インタフェースで、受信及び/または送信する画像の表示において、コミュニケーションアプリに表示される画像に対応する絵文字ファイルの生成命令を受信し、絵文字ファイルの生成命令が、表示の画像のために生成した自身絵文字ファイルは、コミュニケーションアプリによって呼び出されるとともに、会話機能の実現のために用いられる。
【００３４】
コミュニケーションアプリは、ログインのユーザと他のユーザとの間の会話を実現するために用いられ、該会話には、ユーザの間の一対一の会話、例えばユーザとその友人との間の会話、及びユーザの間のグループでの会話が含まれる。
【００３５】
会話ウィンドウに対応するように、会話インタフェースを実現する。会話の進行に連れて、メッセージの送信と受信を行って、送信または受信されるメッセージにおいて、携帯の画像は文字とともに、会話インタフェースに表示される。これで、アプリケーションに表示される画像を取得し、該画像をトリガーすることで、該画像に対応する自作絵文字画像を取得し、さらに自作絵文字ファイルを生成する。
【００３６】
ここで、コミュニケーションアプリにとって、配置された指定機能は、会話で絵文字画像を伝達する機能である。
【００３７】
無論、コミュニケーションアプリ以外、アプリケーションはネットワークアプリケーション、例えば、ブラウザを介してロードされる絵文字のアプリケーションストアなどであってもよく、配置される指定機能はアプリケーションの異なりに応じてそれぞれ異なっている。絵文字のアプリケーションストアに対して、配置される指定機能は絵文字ファイルに対応する絵文字画像の発表、且つ該絵文字ファイルを利用し得るように有料ユーザに授権するという機能である。
【００３８】
アプリケーションにとって、その上に表示される任意の画像はいずれも直接的に、該画像に対応する自作絵文字画像及び相応的な自作絵文字ファイルの生成をトリガーし、最終に、該画像を表示するためのアプリケーションに適用されることは、即時性を強化させるだけでなく、アプリケーションに配置される絵文字ファイルを豊かにして、ユーザがアプリケーションを介して取得した任意の画像はいずれも該アプリケーションで相応的な絵文字ファイルを配置することができる。
【００３９】
他の例示性の実施例において、ステップ３１０は具体には以下を含み、即ち、アプリケーションまたはコミュニケーションアプリにおいて、表示される画像の関連操作項目を起動させ、関連操作項目における絵文字作成操作項目のトリガーによって、表示される画像に対応する絵文字ファイルの生成命令を選定し取得する。
【００４０】
前記したように、画像を表示でき、且つ絵文字画像を利用してその機能を実現し得るアプリケーションとして、コミュニケーションアプリはそのうちの一つであるが、前記に列挙した他のアプリケーションも存在する。
【００４１】
コミュニケーションアプリであっても、他のアプリケーションであっても、いずれも画像の関連操作項目により指定の画像の絵文字ファイルの自作過程のトリガー実行を実現し得る。画像の関連操作項目には絵文字の作成操作項目及び他の操作項目が含まれ、表示される画像の関連操作項目が起動されると、関連操作項目における絵文字作成操作項目の選定操作に応じて絵文字ファイルの生成命令を取得することができる。
【００４２】
なお、関連操作項目の配置と起動に対して、内蔵のリソースファイルとインターフェース関数によって実現され、つまり、関連操作項目の表示態様及び含まれるいろんな操作項目は、いずれもリソースファイルとして記憶され、相応的な操作を検出すると、インターフェース関数の作用で呼び出し、起動させ、アプリケーションのインタフェースに表示する。
【００４３】
ステップＳ３３０において、画像がトリガーされ、絵文字ファイルを生成する命令に応じて、アプリケーションに埋め込まれた絵文字編集ツールを呼び出す。
【００４４】
絵文字編集ツールは、アプリケーションにおける画像の即時処理を実現し、相応的な絵文字画像を取得するために用いられる。絵文字編集ツールはアプリケーションにおける画像のチャネルによって実現され、ユーザによりトリガーされた絵文字編集操作の制御で、画像及びファイルのレンダリングと描きを実現する。
【００４５】
ステップＳ３１０において、画像がトリガーされ、絵文字ファイルを生成する命令の受信に連れて、必らず画像から所望の絵文字画像を取得する必要があり、例えば、該画像に特定の文字を添加し、または該画像のレンダリング効果を変換するなどがあるから、画像がトリガーされ絵文字ファイルを生成する命令によって、アプリケーションに埋め込まれた絵文字編集ツールを呼び出す。
【００４６】
ステップＳ３５０において、絵文字編集ツール及び画像に対してトリガーされる絵文字編集操作によって、画像に対応する自作絵文字画像を取得する。
【００４７】
トリガーされ絵文字ファイルを生成する画像は、アプリケーションに埋め込まれた絵文字編集ツールの作用で、絵文字編集の状態に進み、ユーザによりトリガーされた絵文字編集操作に連れて、画像処理過程を実行することができる。例えば、文字の入力操作をトリガーすると、画像に文字を追加することができ、その以外、追加された文字に対して、位置のドラッグ及び調整操作をトリガーすることで、画像における追加された文字の位置を調整することもでき、さらに、入力された文字を指定のフォントにレンダリングするなどしてもよく、必要な絵文字編集操作を完成すると、画像に対応する自作絵文字画像を取得することができる。
【００４８】
自作絵文字画像は普通の絵文字画像に類似し、いずれも所在の情報のために、内容の記載または内容の補充を行う。普通の絵文字画像はアプリケーションサーバからダウンロードし、アプリケーションに添加して配置してもよく、受信した後、アプリケーションに添加し配置してもよい。ところが、自作絵文字画像は異なって、自己の絵文字画像はアプリケーションに表示される画像を使用して自己定義で作成することで得られる。
【００４９】
なお、画像に対してトリガーする絵文字編集操作は、１回のトリガーであってもよく、または複数回のトリガーであってもよく、ここで限定しない。トリガーされる画像編集操作の種類は１種または多種であってもよい。
【００５０】
無論、画像の絵文字編集をしないで、直接的に該画像を絵文字画像としてもよく、この際、トリガーされる画像編集操作は、該画像を自作絵文字画像として確定する操作である。
【００５１】
なお、取得された画像に対応する自作絵文字画像は、アプリケーションに表示される画像を基礎として取得される絵文字画像であり、画像の編集過程が存在するため、取得された絵文字画像は、ユーザが自己定義で作成したものである。
【００５２】
ステップＳ３７０において、自作絵文字画像を相応的にアプリケーションに配置される自作絵文字ファイルとして生成し、自作絵文字ファイルがアプリケーションによって呼び出され、アプリケーション自身に配置され、絵文字作成機能と異なる指定機能を実現する。
【００５３】
アプリケーションに埋め込まれた絵文字編集ツールと画像編集操作によって、最終に取得される自作絵文字画像は、絵文字ファイルという形態として保存され、即ち、自作絵文字ファイルを生成するとともに、アプリケーションに配置し、アプリケーションはいつでも呼び出すことができる。例えば、生成された自作絵文字ファイルはＥＩＦのフォーマットであれば、取得された自作絵文字画像をＥＩＦのフォーマットに転換し記憶すると、相応的な自作絵文字ファイルを取得し得る。
【００５４】
アプリケーションに配置される自作絵文字ファイルを生成することは、自作絵文字画像という存在形態に対して、表示される画像の品質を保証する。具体的には、絵文字画像にとって、画像という形態で記憶され伝送されると、毎回の記憶と伝送で圧縮され、これによって、絵文字画像の画質がますます悪くなり、画像の品質が劣ることに繋がる。絵文字画像が絵文字ファイル、即ち前記の自作絵文字ファイルという形態として存在し、絵文字画像はただその表示内容とするから、既に画像編集の過程で圧縮されたため、毎回の送信と２回の保存の際に対応する呼び出し及び呼び出される過程で、２回の圧縮が一切ない。
【００５５】
本開示の例示性の実施例において、アプリケーションに表示される画像から自作絵文字画像を取得し、さらに自作絵文字画像からアプリケーションに配置される自作絵文字ファイルを生成し、アプリケーションの実現シーンにおける絵文字ファイル作成の即時性及びカスタマイズ性を効果的に向上させ、ユーザのアプリケーションにおける浸りが、他のアプリケーションに中断または邪魔されないように保証し、ユーザのアプリケーションにおける活発度と依存度を向上させる。
【００５６】
なお、自作絵文字ファイルがアプリケーションに配置されると、すぐに呼び出され、指定の機能を実現してもよく、延期に呼び出されてもよい。言い換えば、自作絵文字ファイルを呼び出することで実現される指定機能は、即時性で、例えば、会話過程で生じた画像を編集し作成した後、自作絵文字ファイルの伝播を行ってもよく、非即時性の、純粋の作成需求で、例えば、コミュニケーションアプリに配置される拡張ツールバーにより提供される絵文字作成機能であってもよい。
【００５７】
本開示の例示性の実施例のコミュニケーションアプリにおける実現は、ユーザが会話過程で、送信または受信されたピクチャ及び映像に対して自作絵文字ファイルを作成し、現在の会話インタフェースで送信することができるようにし、専門の絵文字作成アプリケーションからコミュニケーションアプリにスキップしてから、導入及び保存などの煩雑な操作をする必要がなくなり、自作絵文字ファイルの素材はユーザが現在伝播する画像に由来し、且つその作成過程も完全に会話過程にあることは、ユーザのコミュニケーションアプリにおける浸りを保証する。
【００５８】
本開示の例示性の実施例によって、アプリケーションに表示される画像に対して、トリガーし絵文字ファイルの作成を行うことができ、且つアプリケーションは絵文字ファイルによって自身に配置される指定機能を実行し、該アプリケーションにおいて、まず表示される画像に対応する絵文字ファイルの生成命令を受信し、そして、画像がトリガーされ、絵文字ファイルを生成する命令に応じて、アプリケーションに埋め込まれた絵文字編集ツールを呼び出し、絵文字編集ツール及び画像に対してトリガーされる絵文字編集操作によって、画像に対応する自作絵文字画像を取得し、最後は、自作絵文字画像をアプリケーションに配置される自作絵文字ファイルとして生成し、自作絵文字ファイルがアプリケーションによって呼び出され、アプリケーション自身に配置され、絵文字作成機能と異なる指定機能を実現する。これで、アプリケーションが表示される画像のための、絵文字ファイルの作成及び配置の全体の過程を実現し、表示される画像をトリガーし絵文字ファイルを生成し及び該画像に対して絵文字編集を実行するという二つの時点のみに、ユーザ操作の参入を必要とするから、煩雑な操作を避け、絵文字ファイルの作成とアプリケーションにおける配置を実現することは、煩雑から簡単になり、余分な絵文字パッケージの作成アプリケーションを利用する必要がなくなり、アプリケーションに表示される画像から、該アプリケーションにおける絵文字ファイルの配置までは、極めて簡潔になる。
【００５９】
図４は、図３に対応する実施例により示したステップＳ３５０の細部を記載するフロー図である。ステップＳ３５０において、図４に示すように、以下のステップを含む。
【００６０】
ステップＳ３５１において、絵文字編集ツールによって表示される画像に対応する絵文字編集状態にスキップし進む。
【００６１】
前記のように、絵文字編集ツールはアプリケーションに埋め込まれ、アプリケーションに配置される画像チャネルによって実現され、絵文字編集過程の実行に、画像処理ロジックを提供する。
【００６２】
アプリケーションにおける絵文字編集ツールの呼び出しに連れて、表示される画像が絵文字編集状態に進む。画像が絵文字編集状態に進むと、該画像に対して、自由にいろんな絵文字編集操作をトリガーし得る。
【００６３】
絵文字編集ツールによって、表示される画像に対応する絵文字編集状態にスキップし進むことは、アプリケーションに表示される画像が直接的に編集可能な状態にあるとともに、そのため、いろんな絵文字編集操作をトリガーする操作項目を呼び出し、ユーザがいずれかの操作項目を選定すると、トリガーされる絵文字編集操作であってもよい。
【００６４】
それ以外、アプリケーションで、絵文字編集ツールに対応する操作制御インタフェースにスキップし進み、画像が該操作制御インタフェースにロードされ、該操作制御インタフェースで、画像に対していろんな絵文字編集操作をトリガーしてもよい。
【００６５】
ステップＳ３５３において、画像に対してトリガーする絵文字編集操作を受信し、絵文字編集ツールによって、絵文字編集状態にある画像に対して、絵文字編集操作に対応する画像処理を行うことで、画像に対応する自作絵文字画像を取得する。
【００６６】
絵文字編集ツールにおいて、画像処理過程の実行は、配置された画像処理ロジックによって実現される。トリガーされた絵文字編集操作に応じて、相応的な画像処理ロジックを実行する。
【００６７】
図５は、図３に対応する実施例により示したステップＳ３７０の細部を記載するフロー図である。ステップＳ３７０において、図５に示すように、以下のステップを含む。
【００６８】
ステップＳ３７１において、自作絵文字画像に対応する自作絵文字ファイルを生成する。
【００６９】
アプリケーションに表示される画像に対して、絵文字ファイルの生成命令をトリガーした後、アプリケーションに表示される画像に対して絵文字編集を行って絵文字画像を取得すると、自作絵文字ファイルを生成できる。
【００７０】
ステップＳ３７３において、アプリケーションにログインするユーザの標識を取得し、ユーザの標識をインデックスとして、自作絵文字ファイルをアプリケーションサーバ及び/または所在のローカル機器端末に記憶する。
【００７１】
ユーザはアプリケーションでログインを実現し、アプリケーションで、ユーザの標識によって唯一にユーザの身分をマークする。自作絵文字ファイルはユーザがアプリケーションにおいて自己定義で作成することで得られるから、必ずアプリケーションにログインするユーザの標識を取得し、該ユーザの標識をインデックスとして自作絵文字ファイルを記憶する。
【００７２】
自作絵文字ファイルの記憶は、ローカルの機器端末で行われてもよく、アプリケーションサーバで行われてもよく、自作絵文字ファイルのローカル記憶または遠位記憶を実現する。
【００７３】
これからわかるように、それに対応して、自作絵文字ファイルを呼び出すことを必要とする場合に、ただアプリケーションにログインするユーザの標識をインデックスとして呼び出すことで、アプリケーションに配置される指定機能を実現し得る。
【００７４】
他の例示性の実施例において、該アプリケーションにおける画像を処理する方法は、ステップＳ３７０の後、さらに以下のステップを含む。
【００７５】
自作絵文字ファイルに対して、アプリケーションの絵文字パネルで縮小表示を行う。
【００７６】
自作絵文字ファイルの絵文字パネルでの縮小表示は、自作絵文字ファイルのサムネイルをアプリケーションの絵文字パネルに表示する過程を指し、自作絵文字ファイルの選択及び呼び出しのトリガーに適用される。前記のように、自作絵文字ファイルに対応する絵文字画像には動的画像と静的画像とが含まれる。静的画像に対して、自作絵文字ファイルの絵文字パネルにおける縮小表示は、該静的画像のサムネイルの、絵文字パネルにおける表示であり、動的画像に対して、動的画像はｇｉｆ（Ｇｒａｐｈｉｃｓ  Ｉｎｔｅｒｃｈａｎｇｅ  Ｆｏｒｍａｔ、グラフィックスインターチェンジフォーマット）のシーケンスフレームを介して実現され、連続する１組の画面フレームからなり、該動的画像のサムネイルとして、１つの画面フレームを抽出し、アプリケーションの絵文字パネルに表示し、動的画像の絵文字パネルにおける縮小表示を実現する。
【００７７】
これで、自作絵文字ファイルの絵文字パネルにおける縮小表示によって、自作絵文字ファイルの呼び出しが、絵文字パネルに表示されるサムネイルを介してトリガーされ、さらに、アプリケーションにおける自作絵文字ファイルの生成及び指定機能の実現は、直接的にアプリケーション内で完成される。
【００７８】
該例示性の実施例において、自作絵文字ファイルの絵文字パネルにおける縮小表示によって、自作絵文字ファイルが他の普通の絵文字ファイルに類似し、現行の絵文字サムネイルロジックと一致し、高い汎用性を備えるようになる。
【００７９】
図６は、他の例示性の実施例により示したアプリケーションにおける画像を処理する方法のフロー図である。自作絵文字ファイルが表示されるサムネイルは、絵文字ファイルにリンクされ、自作絵文字ファイルに対して、アプリケーションの絵文字パネルに縮小表示を行うステップの後、該アプリケーションにおける画像を処理する方法は図６に示すように、以下のステップを含む。
【００８０】
ステップＳ４１０において、絵文字パネルにおいて、自作絵文字ファイルが表示するサムネイルトに対してトリガーする選定操作によって、アプリケーションにログインするユーザの標識とサムネイルとでローカルの機器端末またはアプリケーションサーバで検索した絵文字ファイルを選択し呼び出す。
【００８１】
アプリケーションで絵文字パネルを表示し、絵文字パネルに各々絵文字ファイル即ち普通の絵文字ファイルと自作絵文字ファイルとのサムネイルが存在する。つまり、絵文字パネルには各々絵文字ファイルに対応するサムネイルが配置され、ユーザがあるサムネイルに対する選定操作をトリガーすることで、ローカルの機器端末またはアプリケーションサーバから、相応的な絵文字ファイルを検索する。
【００８２】
サムネイルと絵文字ファイルとは関連性が存在し、具体的には、絵文字ファイルに対応するサムネイルと該絵文字ファイルとも関連性が存在し、該絵文字ファイルもユーザの標識をインデックスとして、ローカルの機器端末及び/またはアプリケーションサーバに記憶される。
【００８３】
従って、選定されたサムネイルとアプリケーションにログインするユーザの標識に応じて相応的な絵文字ファイルの呼び出しを実現できる。
【００８４】
ステップＳ４３０において、アプリケーションにおいて、自作絵文字ファイルの伝送を行う。
【００８５】
アプリケーションで自作絵文字ファイルを伝送することは、アプリケーションの自作配置の指定機能の実現のために用いられる。アプリケーションの異なりに応じて、アプリケーションで自作絵文字ファイルの伝送の実現もそれぞれ異なっている。具体的には、アプリケーションで自作絵文字ファイルの伝送を行うことは、アプリケーションが該絵文字ファイルを指定のページに発表してもよく、該絵文字ファイルを他のユーザがログインするアプリケーションに伝送し送信してもよく、さらに、他の実現形態であってもよく、ここで限定しない。
【００８６】
例えば、絵文字のアプリケーションストアに対して、その自作絵文字ファイルの伝送は該自作絵文字ファイルに対応する自作絵文字画像を絵文字アプリケーションストアの指定ページに発表することで、他のユーザが該指定ページに発表される自作絵文字画像を閲覧し調べるようにする。
【００８７】
また例えば、コミュニケーションアプリにとって、その自作絵文字ファイルの伝送は、該絵文字ファイルを会話に参入する友人またはグループに伝送することと、該絵文字ファイルに対応する絵文字画像をアプリケーションにおける該会話に対応する会話ウィンドウに表示することとを含む。
【００８８】
なお、該コミュニケーションアプリにおいて、絵文字ファイルが友人がログインするコミュニケーションアプリ、またはグループにおける各々メンバーがログインするコミュニケーションアプリに送信され、該絵文字ファイルを受信するコミュニケーションアプリにおいて、相応的な絵文字画像の、会話ウィンドウにおける表示を行う。
【００８９】
なお、絵文字ファイルの送信は、アプリケーションサーバ、即ち、該コミュニケーションアプリに対応するコミュニケーションアプリサーバの転送によって実現される。
【００９０】
該例示性の実施例によって、アプリケーションにとって、自作絵文字ファイルの取得は、専門的にダウンロードされるとともに所在の機器端末に配置される絵文字パッケージの作成アプリケーションを利用する必要がなく実現され、絵文字ファイルの自己定義作成の簡単性と便利性を向上させ、ユーザは迅速で、浸るようにアプリケーションにおいて絵文字ファイルを作成し、且つすぐに配置し伝播することができる。
【００９１】
本開示の例示性の実施例は、ユーザのアプリケーションにおけるインスタントメッセージング対話に基づき、絵文字ファイルの自己定義作成と会話体現とを完全に融合させ、スクリーンのサイズが制限された機器端末、例えばスマートフォンにとって、操作コストを大幅に低減させる一方で、自作絵文字ファイルの素材がユーザの伝播画像、即ちユーザによる送信または受信される画像に由来し、自作絵文字ファイルの作成も完全に会話過程で実現されるから、インスタントコミュニケーション及びテーマのカスタマイズという需求を満たす上に、最も即時、迅速な送信を実現する。
【００９２】
それ以外、本開示の例示性の実施例により取得される自作絵文字ファイルはさらに、別名保存と転送という方式で、他のシーンに伝播され、該自作絵文字ファイルの再利用を実現してもよい。
【００９３】
インスタントメッセンジャーにおける自作絵文字画像の実現を例として、具体的なアプリケーションシーンを結合し、前記の方法を記載する。インスタントメッセンジャーがユーザの手持ちのスマートフォンで実行される。
【００９４】
具体的には、ユーザはスマートフォンでインスタントメッセンジャーを起動させ、一人の友人またはグループを選択し、所在の会話ウィンドウに進む。会話過程で画像の送信操作をして、或いは相手またはグループでの他の友人から送信された画像を受信し、例えば、図７は一例示性の実施例により示したインスタントメッセンジャーにおいて、ユーザと友人との間の会話ウィンドウのインタフェースの模式図である。
【００９５】
該ユーザと友人との間の会話ウィンドウ５１０において、友人から送信されたメッセージの受信に従って、友人から送信された画像５３０を会話ウィンドウ５１０に表示する。
【００９６】
ユーザは該会話ウィンドウ５１０において、画像５３０を長押すことで、操作項目５５０を呼び出し、操作項目５５０における絵文字作成操作項目５５１に対して選定操作をトリガーし、画像５３０の絵文字編集インタフェースに進む。図８は、図７に対応する実施例により示した操作項目を呼び出す会話ウィンドウのインタフェースの模式図である。
【００９７】
画像５３０の絵文字編集にスキップし進むと、図９に示すように、まず画像５３０を切り抜くことで、画像５３０を絵文字画像の大きさに合わせたサイズと形状に切り抜くとともに、画面の特定範囲を選択する。図９は、図８に対応する実施例により示した画像を切り抜く絵文字編集インタフェースの模式図である。
【００９８】
そして、文字の入力操作を行って、ユーザはデフォルトの文案を選択してもよく、自己定義の編集入力をしてもよく、入力された文字に対して位置をドラッグし調整し得て、文字の入力を完成した後、プリセットのフォントとしてレンダリングされ、さらに隅で自動的に標識を付けて、初歩的に絵文字画像を取得する。
【００９９】
図１０は、図９に対応する実施例により示した切り抜きが完成した画像において、文字入力をトリガーするインタフェースの模式図であり、それに対応するように、図１１は、図１０に対応する実施例により示した文字入力が完成したインタフェースの模式図である。
【０１００】
図１２は、図１１に対応する実施例により示した入力された文字のレンダリングが完成したインタフェースの模式図である。これで、図１０〜図１２を介して、最終で自作絵文字画像を取得し得る。
【０１０１】
該自作絵文字画像からアプリケーションに配置される自作絵文字ファイルを生成し、この際、ユーザは該会話ウィンドウ５１０で該自作絵文字ファイルを呼び出すことで、友人に自作絵文字ファイルを送信し、図１３は図１２に対応する実施例により示した自作絵文字画像を送信する会話ウィンドウの模式図である。
【０１０２】
また、アプリケーションに配置される自作絵文字ファイルに対して、会話ウィンドウ５１０の絵文字パネル５７０で縮小表示され、即ち、図１４に示すサムネイル５８０のようである。図１４は、図１３に対応する実施例により示した自作絵文字ファイルの、会話ウィンドウでの縮小表示の模式図である。
【０１０３】
該アプリケーションシーンが関わる実現過程は図１５に示される。図１５は、一例示性の実施例により示したインスタントメッセンジャーにおける自作絵文字画像の実現フローの模式図である。
【０１０４】
図１５に示すように、インスタントメッセンジャーにより実現される会話シーンで、画像を受信すると、絵文字の作成をトリガーする。
【０１０５】
ステップ６１０に示すように、絵文字の作成のトリガーに連れて、インスタントメッセンジャーにおいて、画像編集チャネルに進み、絵文字編集ツールを起動させ、絵文字編集ツールの作用で、ステップ６２０〜ステップ６４０に示すフローを実行し、自作絵文字画像を取得することができる。
【０１０６】
この際、ステップ６５０に示すように、ユーザは送信するか、または続いて編集するように選択し得る。続いて編集する過程で、ステップ６６０〜ステップ６７０に示す過程を実行する。
【０１０７】
これで、ステップ６５０またはステップ６７０で自作絵文字画像を取得すると、ステップ７１０を実行し、自作絵文字画像をバックグランドの絵文字チャネルに記憶することで、自作絵文字画像のインスタントメッセンジャーにおける記憶を実現し、自作絵文字画像のインスタントメッセンジャーにおける配置を完成することができる。
【０１０８】
インスタントメッセンジャーに配置される自作絵文字画像に対してステップ７３０を実行し得て、自作絵文字画像を会話ウィンドウに送信する一方で、ステップ７５０を実行し、動的に表示される自作絵文字画像に対して、プレビュー図として第１フレームの画面を切り取ることで、自作絵文字画像の絵文字パネルでの縮小表示を実現する。
【０１０９】
これによって、自作絵文字画像はインスタントメッセージングの関係チェーンに基づき実現され、会話で呼び出されると同時に、他のシーンにも伝播できる。
【０１１０】
以下は、本開示の装置の実施例であり、本開示の前記アプリケーションにおける画像を処理する方法の実施例の実行に用いられる。本開示の装置の実施例で開示されていない細部について、本開示のアプリケーションにおける画像を処理する方法の実施例を参照すればよい。
【０１１１】
図１６は、一例示性の実施例により示したアプリケーションにおける画像を処理する装置のブロック図である。図１６に示すように、該アプリケーションにおける画像を処理する装置には、命令受信器８１０と、絵文字編集呼び出し器８３０と、自作絵文字取得器８５０と設定器８７０とが含まれるが、これらに限定されない。
【０１１２】
命令受信器８１０は、アプリケーションに表示される画像に対応する絵文字ファイルの生成命令を受信するように配置される。
【０１１３】
絵文字編集呼び出し器８３０は、画像がトリガーされ、絵文字ファイルを生成する命令に応じて、アプリケーションに埋め込まれた絵文字編集ツールを呼び出すように配置される。
【０１１４】
自作絵文字取得器８５０は、絵文字編集ツール及び画像に対してトリガーする絵文字編集操作によって、画像に対応する自作絵文字画像を取得するように配置される。
【０１１５】
設定器８７０は、自作絵文字画像を、相応的にアプリケーションに配置される自作絵文字ファイルとして生成し、自作絵文字ファイルがアプリケーションによって呼び出され、アプリケーション自身に配置される指定機能を実現するように配置される。
【０１１６】
一例示性の実施例において、アプリケーションはコミュニケーションアプリであり、画像はコミュニケーションアプリにおける会話で受信または送信される画像であり、命令受信器８１０はさらに、コミュニケーションアプリの会話インタフェースで、画像を受信及び/または送信する表示において、コミュニケーションアプリに表示される画像に対応する絵文字ファイルの生成命令を受信するように配置され、絵文字ファイルの生成命令によって、表示される画像のために生成される自作絵文字ファイルは、コミュニケーションアプリに呼び出されるとともに、会話で絵文字画像を伝達する機能を実現するために用いられる。
【０１１７】
他の例示性の実施例において、命令受信器８１０はさらに、アプリケーションまたはコミュニケーションアプリにおいて、表示される画像の関連操作項目を起動させ、関連操作項目における絵文字作成操作項目のトリガー選定によって、表示される画像に対応する絵文字ファイルの生成命令を取得するように配置される。
【０１１８】
図１７は、図１６に対応する実施例により示した自作絵文字取得器の細部を記載するブロック図である。図１７に示すように、該自作絵文字取得器８５０には状態スキップ器８５１と画像処理実行器８５３とが含まれるが、これらに限定されない。
【０１１９】
状態スキップ器８５１は、絵文字編集ツールによって表示される画像に対応する絵文字編集状態にスキップし進むように配置される。
【０１２０】
画像処理実行器８５３は、絵文字編集状態にある画像に対してトリガーする絵文字編集操作を受信し、絵文字編集ツールによって、絵文字編集状態にある画像に対して、絵文字編集操作に対応する画像処理を行うことで、画像に対応する自作絵文字画像を取得するように配置される。
【０１２１】
図１８は、図１６に対応する実施例により示した設定器の細部を記載するブロック図である。図１８に示すように、該設定器８７０には絵文字ファイル生成器８７１とインデックスメモリ８７３とが含まれるが、これらに限定されない。
【０１２２】
絵文字ファイル生成器８７１は、自作絵文字画像に対応する自作絵文字ファイルを生成するように配置される。
【０１２３】
インデックスメモリ８７３は、アプリケーションにログインするユーザの標識を取得し、ユーザの標識をインデックスとして、自作絵文字ファイルをアプリケーションサーバ及び/または所在のローカル機器端末に記憶するように配置される。
【０１２４】
一つの例示性の実施例において、該アプリケーションにおける画像を処理する装置にはさらにパネル表示コントローラが含まれるが、これに限定されない。パネル表示コントローラは、自作絵文字ファイルに対して、アプリケーションの絵文字パネルで縮小表示を行うように配置される。
【０１２５】
図１９は、他の例示性の実施例により示したアプリケーションにおける画像を処理する装置のブロック図である。図１９に示すように、該アプリケーションにおける画像を処理する装置にはさらに、絵文字ファイル呼び出し器９１０と伝送器９３０とが含まれるが、これに限定されない。
【０１２６】
絵文字ファイル呼び出し器９１０は、絵文字パネルにおいて、自作絵文字ファイルのために表示するサムネイルに対してトリガーする選定操作によって、アプリケーションにログインするユーザの標識とサムネイルとで、ローカルの機器端末またはアプリケーションサーバで検索した絵文字ファイルを選択し呼び出すように配置される。
【０１２７】
伝送器９３０は、アプリケーションにおいて、自作絵文字ファイルの伝送を行うように配置される。
【０１２８】
また、本開示はさらに図３、図４、図５及び図６のいずれかに示されるファイルのロード制御方法の全てまたは一部のステップを実行する機器端末を提供する。前記装置は、
プロセッサと、
前記プロセッサに実行される場合に、前記アプリケーションにおける画像を処理する方法を実現するコンピュータ読み取り可能な命令が記憶されるメモリとを備える。
【０１２９】
また、本開示はさらに、プロセッサに実行される場合に、前記アプリケーションにおける画像を処理する方法を実現するコンピュータプログラムが記憶される、コンピュータ読み取り可能な記憶媒体を提供する。
【０１３０】
なお、本開示は以上に記載され且つ図面で示された精確な構成に限定されず、その範囲から逸脱しない場合に、いろんな補正及び変更を行ってもよい。本開示の範囲は添付の請求項によって限定される。
【図１】
2020533677.tif 000003
【図２】
2020533677.tif 000004
【図３】
2020533677.tif 000005
【図４】
2020533677.tif 000006
【図５】
2020533677.tif 000007
【図６】
2020533677.tif 000008
【図７】
2020533677.tif 000009
【図８】
2020533677.tif 000010
【図９】
2020533677.tif 000011
【図１０】
2020533677.tif 000012
【図１１】
2020533677.tif 000013
【図１２】
2020533677.tif 000014
【図１３】
2020533677.tif 000015
【図１４】
2020533677.tif 000016
【図１５】
2020533677.tif 000017
【図１６】
2020533677.tif 000018
【図１７】
2020533677.tif 000019
【図１８】
2020533677.tif 000020
【図１９】
2020533677.tif 000021
【国際調査報告】
2020533677.tif 000022
2020533677.tif 000023
2020533677.tif 000024
2020533677.tif 000025